(57)【特許請求の範囲】
【請求項１】
水を貯水する水槽と、
前記水槽に設けた電解ユニットと、
前記水槽に電解促進錠剤を入れる錠剤投入機構とを備え、
前記錠剤投入機構は、
前記水槽より上方に回転自在に設けられた回転体と、
前記回転体を回転させる回転機構と、
上下方向に延びた、上端開口と、下端開口とを備えた連通管と、
前記連通管内に積層した複数の前記電解促進錠剤とを備え、
前記回転体は略円板形状で周面に内方へ窪んだ穴部を備え、
前記連通管の下端には開口である下端開口を備え、
前記下端開口は前記周面の上方に所定の距離を有して配置され、
前記電解促進錠剤は、
略円板形状で直径方向に前記連通管内に積層され、
前記回転機構によって前記回転体が回転し前記下端開口の下方に前記穴部が位置すると、
前記下端開口から１つ目の前記電解促進錠剤が前記穴部に入り、
前記下端開口から２つ目の前記電解促進錠剤が突出し、
前記１つ目の前記電解促進錠剤の上に重なり、
前記２つ目の前記電解促進錠剤の一部が前記穴部に入り込み、
更に前記回転体が回転し前記下端開口の下方に前記周面が位置すると、
前記２つ目の前記電解促進錠剤は、
前記周面に乗り上げることを特徴とする電解水生成装置。
【請求項２】
前記回転機構を制御する制御部を設け、
前記制御部に前記電解促進錠剤を前記水槽に入れる信号が入ると、
前記制御部は、
前記回転機構によって前記回転体を回転させ前記電解促進錠剤を前記水槽に入れた後、
前記穴部が前記下端開口の下方に位置し、
前記穴部が上方へ開口し、
前記下端開口から１つ目の前記電解促進錠剤が前記穴部に入り、
前記下端開口から２つ目の前記電解促進錠剤が突出し、
前記１つ目の前記電解促進錠剤に重なった状態で前記回転体を停止させることを特徴とする請求項１に記載の電解水生成装置。
【発明の詳細な説明】
【技術分野】
【０００１】
本発明は、水または希薄塩水を被電解水とする電解水生成装置に関する。
【背景技術】
【０００２】
従来、この種の電解水生成装置では、投入機構部を備えたものが知られている（例えば、特許文献１参照）。
【０００３】
以下、その塩水調整タンクについて図１２、１３を参照しながら説明する。
【０００４】
図１２、１３に示すように、水を電気化学的に処理する電極を備えた電解ユニット１００が配設される水槽１０１と、この水槽１０１に給水する給水タンク１０２と、水槽１０１に電解促進錠剤１０３を投入する投入機構部１０４とを有していた。投入機構部１０４は、電解促進錠剤１０３を内包したカートリッジ部１０５と、可動案内部材部１０６と、可動部材１０７とを備えている。カートリッジ部１０５から電解促進錠剤１０３が、可動案内部材部１０６の空洞部１０８に供給され、この空洞部１０８に供給された電解促進錠剤１０３は、空洞部１０８を摺動する可動部材１０７によって、水槽１０１へ押し出される。
【先行技術文献】
【特許文献】
【０００５】
【特許文献１】特開２０１３−５２３５５号公報
【発明の概要】
【発明が解決しようとする課題】
【０００６】
このような従来の電解水生成装置においては、電解促進錠剤を投入する場合に、電解促進錠剤は、カートリッジ部内を下方へ移動し、カートリッジ部から可動案内部材部の空洞部に供給される。空洞部内に供給された電解促進錠剤は、空洞部を摺動する可動部材によって、水槽へ押し出される。電解促進錠剤は、カートリッジ部内と空洞部内とを、摺動しながら移動する。
【０００７】
これにより、電解促進錠剤は、カートリッジ部内面および空洞部内面と擦れ合い、電解促進錠剤の粉が生じる。電解促進錠剤の粉がカートリッジ部内面に溜ると、カートリッジ部内面と電解促進錠剤との間に粉が入り込み、電解促進錠剤の可動性が低下することが考えられる。
【０００８】
そこで本発明は、上記従来の課題を解決するものであり、電解促進錠剤を水槽へ投入する場合に、電解促進錠剤の粉によって、電解促進錠剤の可動性が低下することを抑制できる電解水生成装置を提供することを目的とする。
【課題を解決するための手段】
【０００９】
そして、この目的を達成するために、本発明は、水を貯水する水槽と、前記水槽に設けた電解ユニットと、前記水槽に電解促進錠剤を入れる錠剤投入機構とを備え、前記錠剤投入機構は、前記水槽より上方に回転自在に設けられた回転体と、前記回転体を回転させる回転機構と、上下方向に延びた、上端開口と、下端開口とを備えた連通管と、前記連通管内に積層した複数の前記電解促進錠剤とを備え、前記回転体は略円板形状で周面に内方へ窪んだ穴部を備え、前記連通管の下端には開口である下端開口を備え、前記下端開口は前記周面の上方に所定の距離を有して配置され、前記電解促進錠剤は、略円板形状で直径方向に前記連通管内に積層され、前記回転機構によって前記回転体が回転し前記下端開口の下方に前記穴部が位置すると、前記下端開口から１つ目の前記電解促進錠剤が前記穴部に入り、前記下端開口から２つ目の前記電解促進錠剤が突出し、前記１つ目の前記電解促進錠剤の上に重なり、前記２つ目の前記電解促進錠剤の一部が前記穴部に入り込み、更に前記回転体が回転し前記下端開口の下方に前記周面が位置すると、前記２つ目の前記電解促進錠剤は、前記周面に乗り上げることを特徴とするものであり、これにより所期の目的を達成するものである。
【発明の効果】
【００１０】
本発明によれば、水を貯水する水槽と、前記水槽に設けた電解ユニットと、前記水槽に電解促進錠剤を入れる錠剤投入機構とを備え、前記錠剤投入機構は、前記水槽より上方に回転自在に設けられた回転体と、前記回転体を回転させる回転機構と、上下方向に延びた、上端開口と、下端開口とを備えた連通管と、前記連通管内に積層した複数の前記電解促進錠剤とを備え、前記回転体は略円板形状で周面に内方へ窪んだ穴部を備え、前記連通管の下端には開口である下端開口を備え、前記下端開口は前記周面の上方に所定の距離を有して配置され、前記電解促進錠剤は、略円板形状で直径方向に前記連通管内に積層され、前記回転機構によって前記回転体が回転し前記下端開口の下方に前記穴部が位置すると、前記下端開口から１つ目の前記電解促進錠剤が前記穴部に入り、前記下端開口から２つ目の前記電解促進錠剤が突出し、前記１つ目の前記電解促進錠剤の上に重なり、前記２つ目の前記電解促進錠剤の一部が前記穴部に入り込み、更に前記回転体が回転し前記下端開口の下方に前記周面が位置すると、前記２つ目の前記電解促進錠剤は、前記周面に乗り上げることを特徴とする。
【００１１】
このように、回転機構によって回転体が回転すると、２つ目の電解促進錠剤が回転体によって押し上げられるので、２つ目の電解促進錠剤の上に積層されている複数の電解促進錠剤も同時に上方に移動する。この上方に移動した状態から、回転機構によって回転体が回転すると、２つ目の電解促進錠剤が穴部に入るので、２つ目の電解促進錠剤の上に積層されている複数の電解促進錠剤も同時に下方へ移動する。
【００１２】
これにより、連通管内面と電解促進錠剤の下部との間に入り込んだ粉も、下方へ落下しやすくなり、電解促進錠剤の可動性が低下することを抑制できる。
【図面の簡単な説明】
【００１３】
【図１】本発明の実施の形態１の電解水生成装置の斜視図
【図２】同電解水生成装置の内部を示す図
【図３】同電解水生成装置の水槽と電解ユニットと錠剤投入機構とを示す図
【図４】同電解水生成装置の水槽と電解ユニットと錠剤投入機構とを示す図
【図５】同電解水生成装置の錠剤投入機構を示す断面図
【図６】同電解水生成装置の錠剤投入機構を示す断面図
【図７】同電解水生成装置の錠剤投入機構を示す断面図
【図８】同電解水生成装置の錠剤投入機構を示す断面図
【図９】同電解水生成装置の錠剤投入機構を示す断面図
【図１０】同電解水生成装置の錠剤投入機構を示す断面図
【図１１】同電解水生成装置の錠剤投入機構のブロック図
【図１２】従来の電解水生成装置の構成を示す断面図
【図１３】従来の電解水生成装置の構成を示す斜視図
【発明を実施するための形態】
【００１４】
（実施の形態１）
図１は、本発明の実施の形態１に係る電解水生成装置の斜視図である。図２は、本発明の実施の形態１に係る電解水生成装置の内部を示す図である。図２は、主に水槽と電解ユニットと給水タンク部と錠剤投入機構とを示している。なお、図２の電解ユニットは、水槽内から上方へ移動した状態である。
【００１５】
図１、２に示すように、電解水生成装置１は機器のケース２内部に設けられるもので、水槽３と、電解ユニット４と、給水タンク部５と、水槽３に電解促進錠剤を入れる錠剤投入機構６とを備えている。ケース２の天面には、操作部２０を設け、操作部２０は後述する電解促進錠剤投入スイッチ２１を備えている。
【００１６】
図３は、本発明の実施の形態１に係る電解水生成装置の水槽と電解ユニットと錠剤投入機構とを示す図である。図４は、本発明の実施の形態１に係る電解水生成装置の水槽と電解ユニットと錠剤投入機構とを示す図である。図４の電解ユニットは、電解ユニットの内部を示している。
【００１７】
図２、３、４に示すように、水槽３は、略椀形状で、給水タンク部５から給水された一定量の水槽水を貯水している。水槽３には、電解ユニット４と、給水タンク部５が配設されている。
【００１８】
電解ユニット４は、水槽水に第１の電極７、第２の電極（図示せず）を浸らせ、これら第１の電極７と第２の電極とに電圧を印加し、水槽水を電気化学的に処理するものである。
【００１９】
給水タンク部５は、水槽３の底面に設けられたタンク保持部８に装着されている。給水タンク部５は、水を貯水するタンク９と、タンクの開口（図示せず）に設けられた蓋（図示せず）とを備えている。蓋の中央には、開閉手段（図示せず）が設けられており、この開閉手段が開くと、タンク９内の水が、水槽３へ供給される。具体的には、タンク９の開口を下向きにして、給水タンク部５を水槽３のタンク保持部８に取り付けると、タンク保持部８によって開閉手段が開く。つまり、給水タンク部５に水を入れてタンク保持部８に取り付けると、開閉手段が開いて水槽３に給水され、水槽３内に水が溜まる。水槽水の水位が上昇して蓋のところまで到達すると給水タンク部５の開口が水封されるので給水が停止し、給水タンク部５の内部には水が残り、水槽水の水位が下がった場合に都度、タンク９内部の水が水槽に給水される。即ち、水槽水の水位は一定に保たれる。
【００２０】
図５は、本発明の実施の形態１に係る電解水生成装置の錠剤投入機構を示す断面図である。図６は、本発明の実施の形態１に係る電解水生成装置の錠剤投入機構を示す断面図である。
【００２１】
以上の構成において、錠剤投入機構６の動作について説明する。図５、６に示すように、最初に、連通管１０の上端開口１４から連通管１０内へ電解促進錠剤１１を一つずつ挿入する。１つ目の電解促進錠剤１１Ａの上に、２つ目の電解促進錠剤１１Ｂが積み重ねられ、更に、２つ目の電解促進錠剤１１Ｂの上に、３つ目の電解促進錠剤１１Ｃが積み重ねられる。上端開口１４から順次、電解促進錠剤１１が入れられると、１つ前に入れられた電解促進錠剤１１の上に順次積み重ねられる。
【００２２】
電解促進錠剤１１の形状の一例は、直径Ｄ１の円盤状の形状をしており、両端面の中心部を凸状に膨らませた形状で、その厚みはＨ１となる。円盤状の電解促進錠剤１１は、円盤状の直径方向に積み重ねられ、電解促進錠剤１１における円環形状の周面同士が接触する。
【００２３】
次に、回転機構１２によって回転体１３が回転し、下端開口１５の下方に回転体１３の穴部１７が位置すると、穴部１７が上方へ開口し、下端開口１５から１つ目の電解促進錠剤１１Ａが穴部１７に入る。この時に、下端開口１５から２つ目の電解促進錠剤１１Ｂが突出し、１つ目の電解促進錠剤１１Ａに重なり、１つ目の電解促進錠剤１１Ａの上に、２つ目の電解促進錠剤１１Ｂが円盤状の直径方向に積み上がる。２つ目の電解促進錠剤１１Ｂが連通管１０から突出している寸法は、２つ目の電解促進錠剤１１Ｂが連通管１０内に入っている寸法より小さい寸法である。この状態から、更に回転機構１２によって回転体１３が回転すると、図７、８の状態になる。
【００２４】
図７は、本発明の実施の形態１に係る電解水生成装置の錠剤投入機構を示す断面図である。図８は、本発明の実施の形態１に係る電解水生成装置の錠剤投入機構を示す断面図である。
【００２５】
更に回転機構１２によって回転体１３が回転すると、図７、８に示すように、下端開口１５の下方に周面１８が位置する。ここで、２つ目の電解促進錠剤１１Ｂが回転体１３によって押し上げられ、２つ目の電解促進錠剤１１Ｂは、下端開口１５から一部が突出した状態で周面１８上に保持される。２つ目の電解促進錠剤１１Ｂが回転体１３によって押し上げられるので、２つ目の電解促進錠剤の上に積層されている複数の電解促進錠剤１１も同時に上方に移動する。この状態から、更に回転機構１２によって回転体１３が回転すると、図９の状態になる。
【００２６】
図９は、本発明の実施の形態１に係る電解水生成装置の錠剤投入機構を示す断面図である。
【００２７】
更に回転機構１２によって回転体１３が回転すると、図９に示すように、穴部１７が下方へ開口し、穴部１７から１つ目の電解促進錠剤１１Ａが水槽３に落下する。このときも、２つ目の電解促進錠剤１１Ｂは周面１８上に、下端開口１５から一部が突出した状態で保持されたままである。この状態から、更に回転機構１２によって回転体１３が回転すると、図１０の状態になる。
【００２８】
更に回転機構によって回転体が回転すると、図１０に示すように、穴部１７が下端開口１５の下方に位置すると、下端開口１５から２つ目の電解促進錠剤１１Ｂが穴部１７に入り、下端開口１５から３つ目の電解促進錠剤１１Ｃが突出し、２つ目の電解促進錠剤１１Ｂに重なり、２つ目の電解促進錠剤１１Ｂの上に、３つ目の電解促進錠剤１１Ｃが積み上がる。
【００２９】
図７、８に示すように、回転機構１２によって回転体１３が回転すると、２つ目の電解促進錠剤１１Ｂが回転体１３によって押し上げられるので、２つ目の電解促進錠剤の上に積層されている複数の電解促進錠剤１１も同時に上方に移動する。この上方に移動した状態から、回転機構１２によって回転体１３が回転すると、図１０に示すように、２つ目の電解促進錠剤１１Ｂが穴部１７に入るので、２つ目の電解促進錠剤１１Ｂの上に積層されている複数の電解促進錠剤１１も同時に下方へ移動する。
【００３０】
これにより、連通管１０内の電解促進錠剤１１は、下方向だけでなく上方向にも動くので、連通管１０内面と電解促進錠剤１１の下部との間に入り込んだ粉も、下方へ落下しやすくなり、電解促進錠剤１１の可動性が低下することを抑制できる。
【００３１】
具体的には、穴部１７の深さ、つまり回転体１３における直径方向の寸法が、電解促進錠剤１１の直径寸法より大きい。これにより、図６に示すように、回転体１３が回転し下端開口１５の下方に穴部１７が位置すると、下端開口１５から１つ目の電解促進錠剤１１Ａが穴部１７に入り、下端開口１５から２つ目の電解促進錠剤が突出し、１つ目の電解促進錠剤１１Ａの上に乗り、２つ目の電解促進錠剤１１Ｂの一部が穴部１７に入り込む。  この状態から、図７に示すように、更に、回転体１３が回転し下端開口１５の下方に周面１８が位置すると、２つ目の電解促進錠剤１１Ｂは、周面１８に乗り上げる。これにより、２つ目の電解促進錠剤１１Ｂが回転体１３によって押し上げられるので、２つ目の電解促進錠剤１１Ｂの上に積層されている複数の電解促進錠剤１１も同時に上方に移動する。
【００３２】
図１１は、本発明の実施の形態１に係る電解水生成装置の錠剤投入機構のブロック図である。
【００３３】
図１、１１に示すように、電解水生成装置には、回転機構１２を制御する制御部２２と、制御部２２へ信号を送る操作部２０とを備えている。操作部２０には、電解促進錠剤投入スイッチ２１を有している。
【００３４】
使用者が、操作部２０の電解促進錠剤投入スイッチ２１を押すと、操作部２０から制御部２２へ、電解促進錠剤の投入を指示する信号が送られる。制御部２２は、制御部２２に電解促進錠剤１１を水槽３に入れる信号が入ると、最初に回転機構１２によって回転体１３を回転させ、電解促進錠剤１１を水槽に落下させ、穴部１７が下端開口１５の下方に位置するまで、回転機構１２によって回転体１３を回転させ停止する（図１０参照）。これにより、穴部１７が上方へ開口し、下端開口１５から次の電解促進錠剤１１が穴部１７に入り、下端開口１５からその次の電解促進錠剤１１の一部が突出し、一部が穴部に入り込み、穴部１７に入っている電解促進錠剤１１に重なった状態となる。
【００３５】
この状態から、再び操作部２０の電解促進錠剤投入スイッチ２１を押すと、制御部２２は、最初に、下端開口１５の下方に回転体１３の周面１８が位置する状態まで、回転体１３を回転させる。これにより、穴部１７に入っている電解促進錠剤１１は、回転体１３と共に回転し、一部が穴部１７に入り込でいる電解促進錠剤１１が、下端開口１５から電解促進錠剤１１の一部が突出した状態で周面に乗り上げる。
【００３６】
次に、制御部２２は、更に回転体１３を回転させ、穴部１７を下方へ開口させ、穴部１７に入っている電解促進錠剤１１を穴部１７から水槽に落下させる。下端開口１５から一部が突出した電解促進錠剤１１は周面上に保持された状態である。
【００３７】
最後に、制御部２２は、この状態から、更に回転体１３を回転させ、穴部１７が下端開口１５の下方に位置した状態で停止する。これにより、下端開口１５から一部が突出した状態である電解促進錠剤１１が穴部１７に入り、下端開口１５から次の電解促進錠剤１１が突出し、穴部１７に入っている電解促進錠剤１１に重なる。制御部２２は、この状態で、回転体１３を停止させる。制御部２２は、タイマーを備え、一定時間、回転機構１２であるモータへ電圧を印加し、回転機構１２であるモータを駆動することができる。
【００３８】
これにより、操作部２０の電解促進錠剤投入スイッチ２１を押すと、連通管１０内の電解促進錠剤１１は、回転体１３によって上方へ移動し後、電解促進錠剤１１の自重で下方へ移動するので、連通管１０内面と電解促進錠剤１１の下部との間に入り込んだ粉も、下方へ落下しやすくなり、電解促進錠剤１１の可動性が低下することを抑制できる。
【００３９】
この際、操作部２０の電解促進錠剤投入スイッチ２１を押すと、連通管１０内の電解促進錠剤１１が、下方へ移動し後、上方へ移動させる順序にすると、まず、連通管１０内の電解促進錠剤１１の自重で下方へ移動し、その後、回転体１３によって上方へ移動する動きとなる。ここで、操作部２０の電解促進錠剤投入スイッチ２１を押すときに、連通管１０内面と電解促進錠剤１１の下部との間に入り込んだ粉によって、連通管１０内の電解促進錠剤１１が自重で下方へ移動できない状態の場合には、回転体１３によって上方へ移動させることが出来ない。
【００４０】
一方、操作部２０の電解促進錠剤投入スイッチ２１を押すと、連通管１０内の電解促進錠剤１１は、上方へ移動し後、下方へ移動させる順序であると、まず、連通管１０内の電解促進錠剤１１を回転体１３によって上方へ移動し、その後、自重で下方へ移動する。ここで、操作部２０の電解促進錠剤投入スイッチ２１を押すときに、連通管１０内面と電解促進錠剤１１の下部との間に入り込んだ粉によって、連通管１０内の電解促進錠剤１１が自重で下方へ移動できない状態の場合にも、回転体１３によって上方へ移動させることが出来る。これにより、連通管１０内面と電解促進錠剤１１の下部との間に入り込んだ粉も、下方へ落下しやすくなり、電解促進錠剤１１の可動性が低下することを抑制できる。
【産業上の利用可能性】
【００４１】
電解促進錠剤を投入して電解水を生成する目的に使用される電気機器などに用いられる電解水生成装置として有用である。
【符号の説明】
【００４２】
１    電解水生成装置
２    ケース
３    水槽
４    電解ユニット
５    給水タンク部
６    錠剤投入機構
７    第１の電極
８    タンク保持部
９    タンク
１０    連通管
１１    電解促進錠剤
１２    回転機構
１３    回転体
１４    上端開口
１５    下端開口
１７    穴部
１１Ａ    １つ目の電解促進錠剤
１１Ｂ    ２つ目の電解促進錠剤
１１Ｃ    ３つ目の電解促進錠剤
１８    周面
２０    操作部
２１    電解促進錠剤投入スイッチ
２２    制御部
１００    電解ユニット
１０１    水槽
１０２    給水タンク
１０３    電解促進錠剤
１０４    投入機構部
１０５    カートリッジ部
１０６    可動案内部材部
１０７    可動部材
１０８    空洞部
【図１】
0006653418.tif 000002
【図２】
0006653418.tif 000003
【図３】
0006653418.tif 000004
【図４】
0006653418.tif 000005
【図５】
0006653418.tif 000006
【図６】
0006653418.tif 000007
【図７】
0006653418.tif 000008
【図８】
0006653418.tif 000009
【図９】
0006653418.tif 000010
【図１０】
0006653418.tif 000011
【図１１】
0006653418.tif 000012
【図１２】
0006653418.tif 000013
【図１３】
0006653418.tif 000014